(57)【要約】【課題】実際のグリーンでパットされたボールには起こらない不自然な進行を排除して、自然な減衰とパッティングラインをもって、ホールカップにボールが落ちる挙動が得られ、カップインに必要な正確な方向感と距離感のシュミレーションが簡便に行える、練習用パッティングカップを提供する。【解決手段】台座１に実物のホールカップと概ね同等な直径で適宜な深に底面を有する凹形状ホールカップ２の概ね前方向側の円周が適宜な低い位置となる水平面のカップ前面４に接合されて、残る後方向側の概ねの円周上に、前記カップ前面４よりも高い位置に設定した水平面のカップ後面５を接合した段差面を構成する前記カップ前面４と前記カップ後面５の各々の当該端辺が境界壁８を介して適宜な形状で接合される構成とする。また、前記台座１に前記境界壁８及び、排出溝１０を各々の設定位置に備え、前記ホールカップ２内にカップセンター３を設けて、排出機能を備えた構成でも良い。【選択図】図６
0003207038.tif 000002
【実用新案登録請求の範囲】
【請求項１】
パットされたボールの進入開始となる開始辺７を前方向側とする、適宜な横幅と長さとを有する台座１の上面は前記開始辺７から上り傾斜の平面である導入斜面６に接合する、低位置の面高さに設定する水平面のカップ前面４と、実物のホールカップと概ね同等な直径で適宜な深さに底面を有する凹形状のホールカップ２と、前記カップ前面４より適宜な高位置の面高さに設定する水平面のカップ後面５が境界壁８を介して設けられて、仮想横方向中心線Ｘの概ね前方向側となる前記ホールカップ２の円周外側域が前記カップ前面４となり、残る後方向側は前記境界壁８と前記カップ後面５で構成されて、前記開始辺７と導入斜面接合辺９及び、前記仮想横方向中心線Ｘが実質的に平行であり、且つ、仮想中心点０が仮想縦方向中心線Ｙに一致する、前記導入斜面接合辺９と終了辺１１との概ね中間位置に備わる事を特徴とするパッティングカップ。
【請求項２】
前記境界壁８は、前記ホールカップ２の円周と前記仮想横方向中心線Ｘの交点の後方側近傍となる当該円周上に設けた起点から、前記仮想横方向中心線Ｘに平行となる当該円周外側位置の仮想線を、当該起点から後方向側に拡開した角α（概ね１５度から〜４５度）の位置まで前記カップ前面４を拡張した当該端辺を、当該境界壁８の底辺として、前記カップ後面５の適宜な範囲となり、且つ、仮想縦中心線Ｙの左右対称位置に備える請求項１に記載のパッティングカップ。
【請求項３】
前記境界壁８の左右どちらかの一方に代えて、前記台座１に前記仮想中心点０を起点して前記仮想横方向中心線Ｘから前方向側へ概ね２２度から２４度、及び、後方向側へ概ね３４から３６度の各々が開拡して画定する挟角β（概ね５６度から６０度）の範囲内となる前記境界壁８と、前記カップ前面４と、前記カップ後面５、及び前記ホールカップ２の円周側壁とを開口部として、当該開口部域内の前記ボールを前記台座１外に排出させる傾斜する底面を有する凹形状の排出溝１０を設けて、且つ、前記ホールカップ２と同心円の直径概ね７．０Ｃｍの凸円筒状であり、傾斜する平面が上面のカップセンター３を当該上面が前記カップ前面４の面高さよりも適宜な低位置であり、当該最高位部に対向する位置の最低位部が前記排出溝１０方向の前記仮想縦中心線Ｘを指向して配置されて、カップインした前記ボールを前記カップセンター３及び、前記排出溝１０により、前記台座１外に排出させる形状を有する事を特徴とする請求項２に記載のパッティングカップ。
【請求項４】
前記挟角β（概ね５６度から６０度）は、前記仮想縦中心線Ｙに左右対称となる位置の前記台座１上のどちらの一方に設定しても良い事を特徴とする請求項３に記載のパッティングカップ。
【考案の詳細な説明】
【技術分野】
【０００１】本考案はゴルフのパッティング練習用のパッティングカップに関するものである。
【背景技術】
【０００２】ゴルフのパッティングの技術向上に最も効果が高いと言われる練習方法は、実際のグリーンを使用するパッティング練習ではあるが、その練習機会はどうしても少なくなってしまう実情がある。従って、この事を補い、簡便で効果の得られるパッティング練習を行うための、種々多様のパッティング練習用パッティングカップが開発され、販売されている。
【先行技術文献】
【実用新案文献】
【０００３】
【実用新案文献１】
実用新案  昭６３−１３７６６７
【特許文献】
【０００４】
【特許文献１】特開平１１−９９２３５
【特許文献２】米抄００７２５５６４８（米国  Ｐａｔｅｎｔ  ＮＯ．：ＵＳ７，２５５，６４８Ｂ）
【０００５】例１としての、実開  昭６３−１３７６６７のパッティングカップは、ディスク状基部周縁内の径内に中心へ向かって傾斜する可撓性の円錐状壁部を備え、パットされたボールは当該円錐状壁部を越えて、当該円錐状壁内に留まることでカップインとし、当該のボールは当該円錐状壁に停滞する考案のパッティングカップである。
【０００６】例２としての、特開平１１−９９２３５  のパッティングカップは、台座上面のゴルフボールの進入始端からの上り斜面の形状であり、平面のパッティング面に対して暫時高くなるその台座上面の上り斜面上にホールを有し、所定の間隔である規制壁を左右対称に形成し、前記台座の前端と後端に開口部を有する。そして、適度のスピードで前記ホールの中心部に向かい進行する前記ボールは、そのままホールインするが、適度のスピードであっても、前記ホールの縁部へ向かって進行するボールは、規制壁に規制されてホールインするパッティングカップ。
【０００７】例３としての、米抄００７２５５６４８のパッティング用カップは、台座の最小幅、ボール入口傾斜路の概ねの角度と高位部の高さと前端部、ホールの直径と深さ、ホール面高さと深さ、に係る寸法を規定した発明であり、適正な速度及び方向にパットすると、ホール面５に備えられた正規寸法のホール６にゴルフボールがホールに入る構成を有するパッティングカップ。
【０００８】上記例１ないし例３はいずれもカップインしたボールが当該ホ−ルカップに停滞状態となる構成であるが、効率の良い練習方法である連続的なパッティングを行うために、ホ−ルカップ周壁の一部を開放形状等にし、台座や前記ホ−ルカップ内に傾斜形状の底面の配設等によって、カップインしたボールを前記ホ−ルカップや台座外へ排出させるパッティングカップも上市されている。（尚、上述の例１ないし例３に対する本書面の記述には、当該する各々に使用されている用語や名称等の語彙を用いた。）
【考案の概要】
【考案が解決しようとする課題】
【０００９】パットされたゴルフボールのカップインする挙動やカップインに必要な正確な方向感と距離感のシュミレーションが行えるように、実際のグリーンでパットされたボールには起こらない不自然な進行力の減衰と、不自然なパッティングラインの変向を排除して、カップインに到る間の自然な減衰と共に、打ち出された自然なパッティングラインを維持して、実際のグリーンの埋設ホールカップにボールが落ちる挙動のカップインできて、使い勝手が良い簡便なパッティング練習用パッティングカップを提供する。【００１０】上記実用新案  昭６３−１３７６６７の問題点は、パットされたボールがカップインするためには、該ボールの進行力が徐々に減衰されるカップインの直前で該周壁を乗り越える、もしくは変形させるための、カップインには不要なエネルギーが必要となり、練習者はこの不要なエネルギーを加えた進行力となるボールをパットする練習を行うので、例えば、平面グリーンのホールカップ直前で自然に静止する強さでパットされたボールよりも、さらに一回転程できる強さでパットされた、いわゆるジャストタッチでパットされたボールがカップインできないという顕著な差異がある。また、該周壁内の概中心ではないが、該周壁内のオンラインを進行するボールに於いては、該周壁が中心に向う傾斜形状のために、本来の進行方向が変向される場合がある。つまり、該周壁の左右の縁に向かうパッティングラインへのパッティングには十分な対応ができない事も決すべき課題となる。【００１１】上記特開平１１−９９２３５の問題点は、台座上の規制壁域内で本来はホールインしない方向に進行するゴルフボールでも、該規制壁に接触した反発でホールインとなり、また、オンライン上を進行するも、実際のグリーン上のパッティングであれば過多進行速度でありホ−ルインとならないゴルフボールも上記同様にホールインする事ができるので、該規制壁に非接触でのホールインとの判別に不明確さが生じる場合がある。そして、パットされた前記ボールの進行力の減衰が顕著になるホールインの直前もまた、上り斜面であるので、必要以上にその進行力が減衰される事と、該ホールの概左右端位置に向かう、該仮想縦中心線と交差するパッティングラインの前記ボールは、該規制壁の直線形状部に接触した反発でホールインする場合があり、この発明がパッティング練習に寄与するパッティングラインが限定的である事も課題である。【００１２】上述米抄００７２５５６４８における問題点は、本発明のパティングカップへのホールインには、当該パティングカップを使用するパティング面に対してゴルフボール径の４分３（概３．２Ｃｍ）の高さにあるゴルフホールの面まで上らなければならない。この事を基本練習に最適な平面グリーン上の埋設ゴルフホールにホールインするボールの自然な進行力を比較すると、その差は過大であり、前記３．２Ｃｍの高さまで上った後にホールインさせるための進行力のボールは、上述のグリーン上のパッティングであればその埋設ゴルフホ−ルを大きく越えるような過大な進行力の不適切なパットとなり、効率的な基本パッティング練習にはそぐわない。また、本発明はボール入口傾斜路の長さのみで概ね１８Ｃｍとなり、当該台座長手方向の���小全長でも概ね３１Ｃｍを上回る大きさとなり、その利便性や使い勝手にも課題がある。【００１３】上記段落００１０ないし００１２のいずれのパッティングカップもカップインしたボールをカップ内に停滞させる構成であるので、練習者がパッティング技術を効率よく習得するために必要である連続してのパッティング練習の妨げになるため、解決すべき課題である。
【課題を解決するための手段】
【００１４】前述の課題である、実際のグリーンでは起こらない不自然な進行力の減衰を解決する手段として、本考案は、通常練習時のカップインの位置となるホールカップ２の前方向側のカップ前面４を極力低位置な面高さとなる水平面に設定して、パッティングする平面と前記ホールカップ２上面の高低差を極少化して、実際のグリーンに於ける前述のジャストタッチでのボールもカップインが可能であり、そして、カップインに不適切な過大な進行力の前記ボールが前記ホールカップ２の円周縁に接触してもカップインとならないようにカップ後面５を前記カップ前面４よりも適宜な高位置の面高さに設ける構成とした。【００１５】また、仮想縦方向中心線Ｙに交わるパッティングラインに適切にパットされて、自然なラインを進行するボールが、当該パッティングカップ自体の構造や形状により、その自然なパッティングラインでの進行が阻害される事を解決するために、本考案は台座１の上面を適宜な横幅にして、導入斜面接合辺９部をなだらかな接合形状にして、前記ホールカップ２を仮想横中心線Ｘと、開始辺７と、前記導入斜面接合辺９のそれぞれが実質的に平行であり、且つ、仮想中心点０が前記仮想縦中心線Ｙと交わる適宜な位置に設けて、さらに、前記仮想縦中心線Ｙに交わり、前記ホールカップ２の円周左右縁を狙うパッティングラインでの成否を明確するために、前記ホールカップ２の円周と前記仮想横中心線Ｘの交点の後方側近傍となる当該円周上を起点する適宜な位置に境界壁８を設けて、不適切にパットされたカップインすべきでないボールが、当該境界壁８に接触してもカップインとならない適宜な形状をもって、前記台座１上の前記仮想縦中心線Ｙの左右対称位置に配置した。【００１６】そして、カップインしたゴルフボールが滞留状態となり、効率的な連続的パッティング練習が行えない事の解決手段として、本考案は、前記仮想中心点０を起点して設定する挟角β（概ね５６度から６０度）の範囲内の、前記境界壁８と、前記カップ前面４と、前記カップ後面５、及び前記ホールカップ２の円周側壁とを開口部とする構成をもって、当該の開口部域内の前記ボールを前記台座１外に排出させる傾斜する底面を有する凹形状の排出溝１０を設けて、且つ、前記ホールカップ２と同心円の直径が概ね７．０ｃｍの凸円筒状で傾斜する平面を上面とするカップセンター３を備えた。このカップセンター３上面の最高位部が前記カップ前面４の面高さよりも適宜な低位置に配置され、前記ホールカップ２にカップインした前記ボールは滞留する事なく前記カップセンター３と前記排出溝１０により誘導されて、前記台座１外に排出されて、効率的な連続パッティング練習を可能とした。尚、前記挟角β（概ね５６度から６０度）は、前記仮想横方向中心線Ｘの前方向側へ概ね２２度から２４度、及び、後方向側へ概ね３４から３６度の各々が開拡して画定されて、前記仮想縦中心線Ｙに左右対称位置となる前記台座１上のどちらの一方に設定しても良い。
【考案の効果】
【００１７】本考案は、既述の先行技術の問題点である、ホ−ルカップの概中心方向では無いが、カップインすべきラインを適切に進行しているボールが当該のパッティングカップの形状等により、本来の進行すべきラインを変向されてしまう事や、実際にパットされたボールには起こらない不自然な進行力の減衰とを排除すると同時に、前記台座１上でカップインを得られないラインを進行するボールのカップインの成否境界を明確に示す機能も備えた。また、過乗進行速度でホ−ルカップを越してしまう不適切な前記ボールのカップインを排除して、且つ、前述のジャストタッチでパットされたボールの自然なカップインを可能とした。従い、本考案によれば、実際のグリーンの埋設ホールカップに対するカップイン状態と遜色が無い、自然な軌跡と挙動でのカップインが得られるので、基本練習のみならず、パッティング感覚と言われる、パットの方向と距離感、を体感できる高精度のパッティングのシュミレーションを連続的に行えるので、パッティング技術の効率良い習得を可能にした。更に、本考案はカップインを可能とする前記ボールの進行速度の微細な設定を、既述の機能を失う事なく、前記カップ前面４と、前記カップ後面５と前記カップセンター３との各面の高低差の設定をもって、的確に行うことができるので、練習者が必要とする前記ボールの進行速度に対応するパッティングカップを提供する事ができる。
【図面の簡単な説明】
【００１８】
【図１】本考案の第１実施例の概要を示すパッティングカップの平面図。
【図２】同じく斜視図。
【図３】本考案の第２実施例の概要を示すパッティングカップの平面図。
【図４】同じく斜視図。
【図５】同じくＹＹの断面図。
【図６】同じく使用状態に係る模擬図。
【００１９】素材もしくは材料は前記台座１の実際の使用に於いて変形が起こらない如何なる素材、もしくは、材料をもって製造しても良い。しかし本考案の製品は量産化によるコストダウンを好適とするので樹脂や樹脂板、金属、紙材、及び木材、等での型成形による生産を最良とするが、前記素材もしくは材料を機械加工等による製造方法（３次元プリンターを含む）等の量産化をしない製造方法でも良い。本考案のパッティングカップは主に基本パッティング練習を目的にしているので、適宜な水平パッティング面が得られるような場所で、実際のグリーン面に近似する転がり状態が得られるように、パッティング用マットや適宜な絨毯、等の上に前記台座１を設えて、前記開始辺７及び前記ホールカップ２に対し、正しいパッティングのアドレスをもって使用する事を最適とする。
【実施例】
【００２０】以下、一実施例である第１実施例を図１及び２に従って説明する。本実施例は前記台座１を耐久性の硬質プラスチック等の適材を持って一体化成形され、パットされたボールの進入開始となる前記開始辺７を前方向側、長手方向となる終了端辺１１を後方向側として、適宜な横幅と長さとを有する概ね矩形台形で、当該上面は前記開始辺７から上り傾斜の平面である前記導入斜面６に、面高さ概ね１．２Ｃｍの前記カップ前面４の前方向側との接合部位とする前記導入斜面接合辺９と、前記開始辺７は実質の平行とする。そして、前記カップ前面４の後方向側は、実際のグリーンのホールと概ね同等な直径１０．８Ｃｍとする前記ホールカップ２の前記仮想横方向中心線Ｘの概ね前方向側の円周に接合された形状となり、残る前記仮想横方向中心線Ｘの概ね後方向側円周域は、前記境界壁８を介して、前記カップ前面４よりも概ね０．５Ｃｍ高い位置に設けられる前記カップ後面５に接合された形状とする。【００２１】前記ホールカップ２は、その概ねの前方向側外周域が低位の面高さの前記カップ前面４となり、残る概ねの後方向側は前記境界壁８を介して、高位の面高さである前記カップ後面５による段差面で構成されて、前記仮想横方向中心線Ｘが前記開始辺７に実質的に平行で、前記仮想中心点０が前記仮想縦中心線Ｙ上に一致する位置の、前記導入斜面接合辺９と前記終了辺１１との概ね中間位置に設ける。【００２２】また、前記仮想縦中心線Ｙに左右対称に設ける前記境界壁８は、前記ホールカップ２の円周と前記仮想横方向中心線Ｘの交点より概ね０．２Ｃｍから０．３Ｃｍ後方側の円周上を起点とする、前記仮想横方向中心線Ｘに平行となる仮想線を、当該起点から後方向側に拡開する角α（概ね４５度）の範囲までに前記カップ前面４を延拡した当該端辺を底辺として、後方向側に適宜に傾斜する面とする前記境界壁８の上端辺を前記カップ後面５の前方向側の適宜な位置で接合した形状とする。そして、前記境界壁８の前記交点側端辺は対向する前記ホールカップ２円周縁上に接合されて、前記ホールカップ２にカップイン出来ない軌道及び状態にある前記ボールが前記境界壁８に接触しても前記ホールカップ２にカップインする事の無い形状に成形する。【００２３】第２実施例は連続的なパッティング練習を可能とするために、第１実施例のどちらか一方の前記境界壁８に替えて排出溝１０及びカップセンター３を付設する構成をした。以下、一実施例となる第２実施例を図３ないし６に従って説明する。【００２４】本実施例は前記台座１に前記仮想中心点０を起点して、前記仮想横方向中心線Ｘから前方向側へ概ね２３度、及び、後方向側へ概ね３５度の各々が開拡して画定した挟角β（概ね５８度）の範囲内となる前記境界壁８と、前記カップ前面４と、前記カップ後面５、及び、前記ホールカップ２の円周側壁とを開口部とする構成をもって、当該開口部域内の前記ボールを前記台座１外に排出させる傾斜する底面を有する凹形状の排出溝１０を設けた。また、前記挟角β（概ね５８度）は、前記仮想縦中心線Ｙに左右対称位置のどちらの一方に設定しても良い。【００２５】加えて、前記ホールカップ２内に、同心円となる直径が概ね７．０Ｃｍの凸円筒状で傾斜する平面が上面であるカップセンター３を設けて、その上面の最高位部を、前記カップ前面４の面高さよりも概ね０．３Ｃｍ低い位置に設けて、且つ、当該上面傾斜の最高位部に対向する位置となる最低位部が前記排出溝方向に伸長する前記仮想縦中心線Ｘを指向する配置とした。また、前記排出溝１０の傾斜する底面の最高位部は、前記ホールカップ２の底面の高さとなる前記カップセンター３外壁に接合する形状とする。従って、前記ホールカップ２にカップインした前記ボールが、前記カップセンター３と前記排出溝１０により誘導されて、前記台座１外へ排出される機能が併合されて、連続的なパッティング練習用が可能となる。
【符合の説明】
【００２６】０  ホールカップの仮想中心点。      ８  境界壁。
１  台座。                          ９  導入斜面接合辺
２  ホールカップ。                １０  排出溝。
３  カップセンター。              １１  終了辺。
４  カップ前面。                    α  角（概ね１５度から４５度）。
５  カップ後面。                    β  挟角（概ね５６度から６０度）。
６  導入斜面。                      Ｘ  ホールカップの仮想横方向中心線（Ｘ）。
７  開始辺。                        Ｙ  台座の仮想縦方向中心線（Ｙ）。
【図１】
0003207038.tif 000003
【図２】
0003207038.tif 000004
【図３】
0003207038.tif 000005
【図４】
0003207038.tif 000006
【図５】
0003207038.tif 000007
【図６】
0003207038.tif 000008